(57)【特許請求の範囲】
【請求項１】
携帯可能な第一の記憶媒体の識別子と対応付けて記憶されている、所定の施設への入場可否を示す入場可否情報を更新する依頼を受信し、
記憶媒体の識別子と前記入場可否情報とを対応付けて記憶した第一の記憶部を参照して、受信した前記依頼から特定される前記第一の記憶媒体の識別子と対応付けて前記第一の記憶部に記憶されている前記入場可否情報を、入場を許可することを示す情報に更新し、
複数の記憶媒体の識別子を互いに関連付けて記憶した第二の記憶部を参照して、前記第一の記憶媒体の識別子と関連付けられている第二の記憶媒体の識別子を特定し、
特定した前記第二の記憶媒体の識別子と対応付けて前記第一の記憶部に記憶されている前記入場可否情報を、入場を許可することを示す情報に更新する、
処理をコンピュータに実行させることを特徴とする記憶媒体管理プログラム。
【請求項２】
前記コンピュータに、
前記所定の施設の入場口に設けられた装置から、記憶媒体の識別子と入場可否の問合せとを受信し、
受信した前記記憶媒体の識別子と対応付けて前記第一の記憶部に記憶されている前記入場可否情報が、前記所定の施設への入場を許可することを示す情報である場合に、入場を許可することを示す情報を前記装置へ送信する、
処理を実行させることを特徴とする請求項１に記載の記憶媒体管理プログラム。
【請求項３】
前記更新する処理は、前記第一の記憶媒体の識別子と対応付けて記憶されている前記入場可否情報を、入場を許可することを示す情報に更新するとともに、有効期限を特定可能な情報を生成して前記第一の記憶媒体の識別子と対応付けて第三の記憶部に記憶し、
前記コンピュータに、
前記所定の施設の入場口に設けられた装置から、前記第二の記憶媒体の識別子と入場可否の問合せとを受信し、
受信した前記第二の記憶媒体の識別子と対応付けて前記第一の記憶部に記憶されている前記入場可否情報が、前記所定の施設への入場を許可することを示す情報であり、かつ、該第二の記憶媒体の識別子と関連付けられている前記第一の記憶媒体の識別子と対応付けて前記第三の記憶部に記憶されている前記有効期限を特定可能な情報から求められる時刻が、現在時刻を過ぎていない場合に、入場を許可することを示す情報を前記装置へ送信する、
処理を実行させることを特徴とする請求項２に記載の記憶媒体管理プログラム。
【請求項４】
前記コンピュータに、
前記所定の施設の入場口に設けられた装置から、前記第一の記憶媒体の識別子と入場可否の問合せとを受信し、
受信した前記第一の記憶媒体の識別子と対応付けて前記第一の記憶部に記憶されている前記入場可否情報が、前記所定の施設への入場を許可することを示す情報である場合に、入場を許可することを示す情報を前記装置へ送信するとともに、有効期限を特定可能な情報を生成して前記第一の記憶媒体の識別子と対応付けて第三の記憶部に記憶し、
前記所定の施設の入場口に設けられた装置から、前記第二の記憶媒体の識別子と入場可否の問合せとを受信し、
受信した前記第二の記憶媒体の識別子と対応付けて前記第一の記憶部に記憶されている前記入場可否情報が、前記所定の施設への入場を許可することを示す情報であり、かつ、該第二の記憶媒体の識別子と関連付けられている前記第一の記憶媒体の識別子と対応付けて前記第三の記憶部に記憶されている前記有効期限を特定可能な情報から求められる時刻が、現在時刻を過ぎていない場合に、入場を許可することを示す情報を前記装置へ送信する、
処理を実行させることを特徴とする請求項２に記載の記憶媒体管理プログラム。
【請求項５】
前記入場可否情報は、複数の施設の識別子と、前記複数の施設の識別子に含まれる施設の識別子に対応する施設への入場可否を示す情報とを記憶する情報であり、
前記依頼を受信する処理は、前記複数の施設の識別子に含まれる所定の施設の識別子と対応する施設への入場可否を示す情報を更新する依頼を受信する処理であり、
前記更新する処理は、前記所定の施設の識別子と対応する施設への入場可否を示す情報を、入場を許可することを示す情報に更新する処理であり、
前記コンピュータに、
前記所定の施設の入場口に設けられた装置から、前記所定の施設の識別子と記憶媒体の識別子と入場可否の問合せとを受信し、
受信した前記記憶媒体の識別子と対応付けて前記第一の記憶部に記憶されている前記入場可否情報のうちの前記所定の施設の識別子と対応する施設への入場可否を示す情報が、前記所定の施設の識別子と対応する施設への入場を許可することを示す情報である場合に、入場を許可することを示す情報を前記装置へ送信する、
処理を実行させることを特徴とする請求項１に記載の記憶媒体管理プログラム。
【請求項６】
携帯可能な第一の記憶媒体の識別子と対応付けて記憶されている、所定の施設への入場可否を示す入場可否情報を更新する依頼を受信し、
記憶媒体の識別子と前記入場可否情報とを対応付けて記憶した第一の記憶部を参照して、受信した前記依頼から特定される前記第一の記憶媒体の識別子と対応付けて前記第一の記憶部に記憶されている前記入場可否情報を、入場を許可することを示す情報に更新し、
複数の記憶媒体の識別子を互いに関連付けて記憶した第二の記憶部を参照して、前記第一の記憶媒体の識別子と関連付けられている第二の記憶媒体の識別子を特定し、
特定した前記第二の記憶媒体の識別子と対応付けて前記第一の記憶部に記憶されている前記入場可否情報を、入場を許可することを示す情報に更新する、
処理をコンピュータが実行することを特徴とする記憶媒体管理方法。
【請求項７】
携帯可能な第一の記憶媒体の識別子と対応付けて記憶されている、所定の施設への入場可否を示す入場可否情報を更新する依頼を受信し、
記憶媒体の識別子と前記入場可否情報とを対応付けて記憶した第一の記憶部を参照して、受信した前記依頼から特定される前記第一の記憶媒体の識別子と対応付けて前記第一の記憶部に記憶されている前記入場可否情報を、入場を許可することを示す情報に更新し、
複数の記憶媒体の識別子を互いに関連付けて記憶した第二の記憶部を参照して、前記第一の記憶媒体の識別子と関連付けられている第二の記憶媒体の識別子を特定し、
特定した前記第二の記憶媒体の識別子と対応付けて前記第一の記憶部に記憶されている前記入場可否情報を、入場を許可することを示す情報に更新する、
制御部を有することを特徴とする記憶媒体管理装置。
【発明の詳細な説明】
【技術分野】
【０００１】
本発明は、記憶媒体管理プログラム、記憶媒体管理方法および記憶媒体管理装置に関する。
【背景技術】
【０００２】
従来、カード型記憶媒体の識別子と金額とが対応づけられてサーバに記憶されており、店舗端末からカード型記憶媒体の識別子の通知を受信したときに、その金額が利用できる仕組みが存在する。また、利用者がカード型記憶媒体を購入する際に、購入と同時に、支払われた金額がこのカード型記憶媒体にて利用できるよう、サーバに利用可を示すフラグを設定する技術も存在する。このフラグ設定手続きをアクティベーション（有効化）という。具体的にはアクティベーションにより記憶媒体の識別子に対応付けられた金額の利用を許可するフラグをサーバに設定しておき、記憶媒体を店舗にて利用する際に、当該フラグに基づいて、記憶媒体に対応する金額の利用を許可するか否かをサーバが判断し、店舗に通知する。
【０００３】
関連する先行技術としては、例えば、信頼されている源からの記憶値カードデータならびに記憶値カードのステータスを変更する要求に応じて、記憶値カードデータならびに記憶値カードのステータスを変更する技術がある。
【先行技術文献】
【特許文献】
【０００４】
【特許文献１】特表２００７−５０９３８１号公報
【発明の概要】
【発明が解決しようとする課題】
【０００５】
しかしながら、従来技術では、関連する複数の記憶媒体の状態を、まとめて同じ状態にして管理できない場合がある。例えば、旅行ツアーにおいて、入場券として記憶媒体を用いることが考えられる。ツアーガイドが、入場券となる記憶媒体を施設の入場口で、ツアー参加者全員分について、入場を許可するためのアクティベーションを実施し、旅行ツアーの参加者がアクティベーションされた記憶媒体を用いて、施設に入場することが考えられる。しかし、参加者全員の分の記憶媒体を個別にアクティベーションするという手間が発生し、一度にまとめて複数の記憶媒体をアクティベーションできない。このように、参加者全員の記憶媒体をまとめてアクティベーションし、同じ状態にして管理できない場合がある。
【０００６】
一つの側面では、本発明は、関連する複数の記憶媒体の状態を、まとめて同じ状態にして管理することを可能にする記憶媒体管理プログラム、記憶媒体管理方法および記憶媒体管理装置を提供することを目的とする。
【課題を解決するための手段】
【０００７】
本発明の一態様によれば、携帯可能な第一の記憶媒体の識別子と対応付けて記憶されている所定の情報を更新する依頼を受信し、記憶媒体の識別子と所定の情報とを対応付けて記憶した第一の記憶部を参照して、受信した依頼から特定される第一の記憶媒体の識別子と対応付けて記憶されている所定の情報を更新し、複数の記憶媒体の識別子を互いに関連付けて記憶した第二の記憶部を参照して、第一の記憶媒体の識別子と関連付けられている第二の記憶媒体の識別子を特定し、特定した第二の記憶媒体の識別子と対応付けて記憶されている所定の情報を更新する記憶媒体管理プログラム、記憶媒体管理方法および記憶媒体管理装置が提案される。
【発明の効果】
【０００８】
本発明の一側面によれば、関連する複数の記憶媒体の状態を、まとめて同じ状態にして管理することを可能にするという効果を奏する。
【図面の簡単な説明】
【０００９】
【図１】図１は、実施の形態にかかる記憶媒体管理装置１０１の一実施例を示す説明図である。
【図２】図２は、実施の形態にかかる記憶媒体管理システム２００のシステム構成例を示す説明図である。
【図３】図３は、実施の形態にかかる記憶媒体管理装置１０１のハードウェア構成例を示すブロック図である。
【図４】図４は、実施の形態にかかるカード管理ＤＢ２１０の一例を示す説明図である。
【図５】図５は、実施の形態にかかる代表カード管理ＤＢ２２０の一例を示す説明図である。
【図６】図６は、実施の形態にかかる電文６０１の一例を示す説明図である。
【図７】図７は、実施の形態にかかる記憶媒体管理装置１０１の機能的構成例を示すブロック図である。
【図８】図８は、実施の形態にかかる記憶媒体管理装置１０１の記憶媒体活性化処理手順の一例を示すフローチャートである。
【図９】図９は、実施の形態にかかる記憶媒体管理装置１０１の入場可否判断処理手順の一例を示すフローチャートである。
【図１０】図１０は、実施の形態にかかる記憶媒体管理装置１０１の有効期間判断処理手順の一例を示すフローチャートである。
【発明を実施するための形態】
【００１０】
以下に図面を参照して、本発明にかかる記憶媒体管理プログラム、記憶媒体管理方法および記憶媒体管理装置の実施の形態を詳細に説明する。
【００１１】
（実施の形態）
図１は、実施の形態にかかる記憶媒体管理装置１０１の一実施例を示す説明図である。図１において、記憶媒体管理装置１０１は、第一の記憶媒体１１１の情報を更新すると、第一の記憶媒体１１１を代表カードとする第二の記憶媒体１１２、１１３の情報を更新するコンピュータである。
【００１２】
記憶媒体とは、データを記憶する媒体である。例えば、記憶媒体には、ＩＣ（Ｉｎｔｅｇｒａｔｅｄ  Ｃｉｒｃｕｉｔ）カード、磁気カード、フラッシュメモリ、磁気ディスク等が存在する。なお、記憶媒体として、識別子の情報が電子的に記憶されているのではなく、券面に印刷された媒体を用いることも出来る。また、代表カードとは、複数のカードをグルーピングした際の、代表となるカードである。グルーピングとは、複数のカードを組分けすることである。例えば、旅行ツアーで利用されるカードをグルーピングした場合、代表カードはツアーガイドが携帯するカードである。
【００１３】
ここで、記憶媒体を、有料の施設への入場券として利用する場合がある。施設とは、サービスを提供する建築物や設備のことである。例えば、施設には、動物を観賞するサービスを提供する動物園や、美術品を鑑賞するサービスを提供する美術館がある。記憶媒体をアクティベーションすることで、記憶媒体で有料の施設に入場することができる。ここでアクティベーションとは、記憶媒体を利用可能にすることである。例えば、プリペイドカードをアクティベーションすることにより、プリペイドカードで物品やサービスを購入可能になる。
【００１４】
団体旅行では、ツアーガイドが参加者を引き連れて、有料の施設に入場することがある。その際、ツアーガイドは参加者分の入場券を購入し、ゲート入場直前に参加者に配ったり、あるいは人数分を前払いし、人数をゲートに伝えて、その人数が施設に入場するまで、ゲートを開いてもらったりしている。
【００１５】
記憶媒体を入場券として利用する場合、ツアーガイドが施設の入場口の近くで参加者が携帯する記憶媒体を個別にアクティベーションして、施設に入場可能にすることになる。参加者はアクティベーションされた記憶媒体を利用して施設に入場することができる。
【００１６】
しかしながら、ツアーガイドが施設の入場口の近くで参加者の記憶媒体をアクティベーションする際、参加者の誰か一人が入場口の近くにいない場合、その参加者の記憶媒体をアクティベーションすることができない。ツアーガイドはその参加者の記憶媒体をアクティベーションするまで入場できないため、ツアーガイドは他の参加者を引き連れて入場することができない。このように、ツアーガイドならびに既に入場口近くに存在する参加者は、入場口に来ていない参加者が揃うまで、施設に入場できないという問題がある。
【００１７】
そこで、実施の形態では、記憶媒体管理装置１０１は、第一の記憶媒体１１１の情報を更新する際、第一の記憶媒体１１１と関連付けられた第二の記憶媒体１１２、１１３を特定し、特定した第二の記憶媒体１１２、１１３の情報も更新する。これにより、第一の記憶媒体１１１に記憶される情報が更新されると第二の記憶媒体１１２、１１３に記憶される情報も更新される。このため、記憶媒体管理装置１０１は、関連する複数の記憶媒体の状態を、まとめて同じ状態にして管理することができる。
【００１８】
以下、記憶媒体管理装置１０１の記憶媒体管理について説明する。また、以下の実施形態の説明では、記憶媒体が、旅行ツアーにおける所定の施設の入場券としての機能を有するカードを例にして説明する。ここで、第一の記憶媒体１１１は、旅行ツアーの代表者であるツアーガイドが所持する代表カードである。また、第二の記憶媒体１１２、１１３は、旅行ツアーの参加者が所持するカードである。また、所定の情報として、所定の施設への入場の可否を示すフラグを例にして説明する。
【００１９】
（１）記憶媒体管理装置１０１は、アクティベーション依頼装置から代表カード１１１の識別子と対応付けて記憶されているフラグを更新する依頼を受信する。ここで、アクティベーション依頼装置は、カードのアクティベーションを依頼する装置である。
【００２０】
図１の例では、アクティベーション依頼装置は、所定の施設の窓口担当が操作する端末である。記憶媒体管理装置１０１は、アクティベーション依頼装置から、代表カード１１１の識別子「１００１」と対応付けて記憶されているフラグを更新する依頼を受信する。
【００２１】
（２）記憶媒体管理装置１０１は、カードの識別子とフラグとを対応付けて記憶した記憶部１２１を参照し、受信した代表カード１１１の識別子と対応付けて記憶されているフラグを更新する。例えば、フラグには、所定の施設へ入場不可能であることを示す情報が設定され、記憶媒体管理装置１０１は、フラグを所定の施設へ入場可能であることを示す情報に更新する。
【００２２】
図１の例では、記憶媒体管理装置１０１は、代表カード１１１の識別子「１００１」と対応付けて記憶されているフラグを「０」から「１」に更新する。ここで、フラグは、「０」であるとき、所定の施設へ入場不可能であることを示し、「１」であるとき、所定の施設へ入場可能であることを示す。これにより、旅行ツアーのツアーガイドは所定の施設に入場できる。
【００２３】
（３）記憶媒体管理装置１０１は、複数のカードの識別子を互いに関連付けて記憶した記憶部１２２を参照して、代表カード１１１と関連付けられているカードの識別子を特定する。例えば、記憶媒体管理装置１０１は、記憶部１２２から代表カード１１１の識別子を検索して、検索した識別子と関連付けて記憶された識別子を特定する。
【００２４】
図１の例では、記憶媒体管理装置１０１は、代表カード１１１の識別子「１００１」と関連付けられているカードの識別子として、識別子「１００２」および識別子「１００３」を特定する。ここで、旅行ツアーの参加者１のカード１１２は、識別子「１００２」のカードであり、旅行ツアーの参加者２のカード１１３は、識別子「１００３」のカードである。
【００２５】
（４）記憶媒体管理装置１０１は、特定したカードの識別子と対応付けて記憶部１２１に記憶されているフラグを更新する。例えば、記憶媒体管理装置１０１は、記憶部１２１から特定したカードの識別子を検索して、検索した識別子と対応付けて記憶されているフラグを更新する。
【００２６】
図１の例では、記憶媒体管理装置１０１は、特定したカードの識別子「１００２」、「１００３」と対応付けて記憶されているフラグを「０」から「１」に更新する。これにより、旅行ツアーの参加者１および旅行ツアーの参加者２は所定の施設に入場できる。
【００２７】
以上説明したように、記憶媒体管理装置１０１は、携帯可能な第一の記憶媒体１１１の識別子と対応付けて記憶されている所定の情報を更新する依頼を受信する。これに応じて、記憶媒体管理装置１０１は、記憶媒体の識別子と所定の情報とを対応付けて記憶した第一の記憶部１２１を参照して、受信した依頼から特定される第一の記憶媒体１１１の識別子と対応付けて記憶されている所定の情報を更新する。記憶媒体管理装置１０１は、複数の記憶媒体の識別子を互いに関連付けて記憶した第二の記憶部１２２を参照して、第一の記憶媒体１１１の識別子と関連付けられている第二の記憶媒体１１２、１１３の識別子を特定する。記憶媒体管理装置１０１は、特定した第二の記憶媒体１１２、１１３の識別子と対応付けて記憶されている所定の情報を更新する。
【００２８】
これにより、第一の記憶媒体１１１に記憶される情報が更新されると第二の記憶媒体１１２、１１３に記憶される情報も更新される。このため、記憶媒体管理装置１０１は、関連する複数の記憶媒体の状態を、まとめて同じ状態にして管理することができる。
【００２９】
図１の例では、旅行ツアーのツアーガイドの代表カード１１１のフラグが更新されると、旅行ツアーの参加者１のカード１１２のフラグおよび旅行ツアーの参加者２のカード１１３のフラグがまとめて更新される。このため、例えば、旅行ツアーのツアーガイドの代表カード１１１のフラグを更新する際、旅行ツアーの参加者２が施設の入場口の近くにいない場合でも、旅行ツアーの参加者２のカード１１３のフラグは更新される。これにより、旅行ツアーのツアーガイドと旅行ツアーの参加者１は、参加者２が揃うまで待つことなく、所定の施設に入場できる。また、旅行ツアーの参加者２は、カード１１３のフラグが更新されているため、遅れてきても所定の施設に入場できる。
【００３０】
（記憶媒体管理システム２００のシステム構成例）
図２は、実施の形態にかかる記憶媒体管理システム２００のシステム構成例を示す説明図である。図２において、記憶媒体管理システム２００は、記憶媒体管理装置１０１と、アクティベーション依頼装置２０１と、施設装置２０２と、を含む。記憶媒体管理システム２００において、記憶媒体管理装置１０１と、アクティベーション依頼装置２０１と、施設装置２０２とは、有線または無線のネットワーク２３０を介して接続される。ネットワーク２３０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。
【００３１】
記憶媒体管理装置１０１は、アクティベーション依頼装置２０１からの要求により、情報を更新し、この情報に基づいて、施設装置２０２からの問い合わせに応答するコンピュータである。具体的には、例えば、記憶媒体管理装置１０１は、サーバ等のコンピュータである。
【００３２】
例えば、記憶媒体が特定の施設への入場のためのカードである場合、記憶媒体管理装置１０１は、アクティベーション依頼装置２０１からの要求により、記憶媒体を利用して施設に入場可能であることを示す情報を更新するコンピュータである。また、例えば、記憶媒体管理装置１０１は、施設装置２０２からの要求により、記憶媒体を利用して施設に入場可能であるか否かを応答するコンピュータである。
【００３３】
記憶媒体管理装置１０１は、カード管理ＤＢ２１０および代表カード管理ＤＢ２２０を有する。図１に示したカードの識別子とフラグとを対応付けて記憶した第一の記憶部１２１および複数のカードの識別子を互いに関連付けて記憶した第二の記憶部１２２は、カード管理ＤＢ２１０に対応する。カード管理ＤＢ２１０および代表カード管理ＤＢ２２０の記憶内容については、図４および図５を用いて後述する。
【００３４】
アクティベーション依頼装置２０１は、記憶媒体管理装置１０１に情報の更新を依頼するコンピュータである。例えば、記憶媒体が特定の施設への入場のためのカードである場合、アクティベーション依頼装置２０１は、特定の施設への入場を可能にすることを記憶媒体管理装置１０１に依頼するコンピュータである。具体的には、施設の窓口（チケット販売所等）の作業員が有する端末である。
【００３５】
施設装置２０２は、記憶媒体管理装置１０１に、記憶媒体に記憶された情報に基づく問い合わせを行うコンピュータである。例えば、記憶媒体が特定の施設への入場のためのカードである場合、施設装置２０２は、カードを利用して特定の施設に入場することが可能であるか否かを記憶媒体管理装置１０１に問い合わせするコンピュータである。具体的には、施設装置２０２は、特定の施設の入場口に設けられた装置のコンピュータである。
【００３６】
（記憶媒体管理装置１０１のハードウェア構成例）
図３は、実施の形態にかかる記憶媒体管理装置１０１のハードウェア構成例を示すブロック図である。図３において、記憶媒体管理装置１０１は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、ディスクドライブ３０４と、ディスク３０５と、を有する。また、各構成部は、バス３００によってそれぞれ接続される。
【００３７】
ここで、ＣＰＵ３０１は、記憶媒体管理装置１０１の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭは記憶部としてＣＰＵ３０１のワークエリアとして使用される。メモリ３０２に記憶されるプログラムは、ＣＰＵ３０１にロードされることで、コーディングされている処理をＣＰＵ３０１に実行させる。
【００３８】
Ｉ／Ｆ３０３は、通信回線を通じてＬＡＮ、ＷＡＮ、インターネットなどのネットワーク２３０に接続され、ネットワーク２３０を介して他のコンピュータ（例えば、図２に記載のアクティベーション依頼装置２０１、施設装置２０２）に接続される。そして、Ｉ／Ｆ３０３は、ネットワーク２３０と内部のインターフェースを司り、他のコンピュータからのデータの入出力を制御する。Ｉ／Ｆ３０３には、例えば、モデムやＬＡＮアダプタなどを採用することができる。
【００３９】
ディスクドライブ３０４は、ＣＰＵ３０１の制御に従ってディスク３０５に対するデータのリード／ライトを制御する。ディスク３０５は、ディスクドライブ３０４の制御で書き込まれたデータを記憶する。ディスク３０５としては、例えば、磁気ディスク、光ディスクなどが挙げられる。
【００４０】
なお、記憶媒体管理装置１０１は、上述した構成部のほか、例えば、ＳＳＤ（Ｓｏｌｉｄ  Ｓｔａｔｅ  Ｄｒｉｖｅ）、キーボード、マウス、プリンタ、ディスプレイなどを有することにしてもよい。また、図２に示したアクティベーション依頼装置２０１、施設装置２０２についても、記憶媒体管理装置１０１と同様のハードウェア構成例により実現することができる。
【００４１】
（カード管理ＤＢ２１０の一例）
図４は、実施の形態にかかるカード管理ＤＢ２１０の一例を示す説明図である。図４において、記憶媒体管理装置１０１のカード管理ＤＢ２１０は、例えば、記憶媒体管理装置１０１によって作成、更新され、記憶媒体管理装置１０１のメモリ３０２またはディスク３０５に記憶される。
【００４２】
カード管理ＤＢ２１０は、カードＩＤ（Ｉｄｅｎｔｉｆｉｃａｔｉｏｎ）、利用施設名、アクティベーションフラグ、利用フラグおよび代表カードＩＤの項目を有する。カード管理ＤＢ２１０は、各項目に情報を設定することで、カード管理情報（例えば、カード管理情報２１０−１〜２１０−ｎ）をレコードとして記憶する。
【００４３】
ここで、カードＩＤは、記憶媒体を識別するための識別子を示す。これ以降、記憶媒体の例としてカードを用いて説明する。利用施設名は、利用施設を識別するための識別子を示す。アクティベーションフラグは、対応する利用施設名の利用施設が対応するカードＩＤのカードで入場可能か否かを示す。例えば、アクティベーションフラグが「０」である場合、対応する利用施設名の利用施設に入場不可能であることを示し、アクティベーションフラグが「１」である場合、対応する利用施設名の利用施設に入場可能であることを示す。
【００４４】
利用フラグは、対応する利用施設名の施設が対応するカードＩＤのカードで利用されたか否かを示す。例えば、利用フラグが「０」である場合、対応する利用施設名の利用施設を利用していないことを示し、利用フラグが「１」である場合、対応する利用施設名の利用施設を利用したことを示す。具体的には、施設に入場したということを示す。
【００４５】
代表カードＩＤは、代表カードを識別するための識別子を示す。代表カードＩＤが設定されているカードＩＤのカードは、グルーピングされたカードである。グルーピングされたカードとは、複数のカードを関連付けてまとめたグループに属しているカードである。グループに属するカードは、代表カードとそれ以外のカードに分けられる。ここで、カードＩＤと対応する代表カードＩＤとが一致する場合、当該カードＩＤのカードは、代表カードになる。また、カードＩＤと対応する代表カードＩＤとが一致しない場合、当該カードＩＤのカードは、代表カードと関連付けられたカードになる。また、代表カードＩＤが設定されていないカードＩＤのカードは、グルーピングされていないカードである。図４では、代表カードＩＤが設定されていないことを「−」で示す。
【００４６】
図４の例では、レコード２１０−１は、識別子「１００１」のカードは、アクティベーションフラグが「０」であるため、これから○○水族館に入場不可能であることを示し、また、利用フラグが「１」であるため、○○水族館の入場に利用されたことを示す（結局、１００１のカード保有者は、一度、施設に入場したために、アクティベーションフラグが１から０となり、利用したことで利用フラグが０から１になっている）。また、レコード２１０−１は、識別子「１００１」のカードの代表カードＩＤが「１００１」であるため、識別子「１００１」のカードは代表カードであることを示す。
【００４７】
（代表カード管理ＤＢ２２０の一例）
図５は、実施の形態にかかる代表カード管理ＤＢ２２０の一例を示す説明図である。図５において、記憶媒体管理装置１０１の代表カード管理ＤＢ２２０は、例えば、記憶媒体管理装置１０１によって作成、更新され、記憶媒体管理装置１０１のメモリ３０２またはディスク３０５に記憶される。
【００４８】
代表カード管理ＤＢ２２０は、代表カードＩＤ、利用施設名、有効期間および代表者入場時刻の項目を有する。代表カード管理ＤＢ２２０は、各項目に情報を設定することで、代表カード管理情報（例えば、代表カード管理情報２２０−１〜２２０−ｎ）をレコードとして記憶する。
【００４９】
ここで、代表カードＩＤは、代表カードを識別するための識別子を示す。利用施設名は、利用施設を識別するための識別子を示す。有効期間は、代表カードＩＤの代表カードを利用して対応する利用施設名の利用施設に入場後、代表カードＩＤに関連付けられているカードＩＤのカードを利用して対応する利用施設名の利用施設に入場可能な期間を示す。ここで、有効期間の開始時刻は、代表カードＩＤの代表カードを利用して対応する利用施設名の利用施設に入場した時刻である。有効期間の単位は例えば分とすることができる。
【００５０】
また、代表者入場時刻は、代表カードＩＤの代表カードを利用して対応する利用施設名の利用施設に入場した時刻を示す。記憶媒体管理装置１０１は、有効期間と代表者入場時刻とから、有効期限を特定可能な情報を生成することができる。例えば、記憶媒体管理装置１０１は、有効期間と代表者入場時刻とを加算することにより、有効期限を特定可能な情報を生成する。
【００５１】
また、有効期間の開始時刻は、代表カードＩＤの代表カードがアクティベーションされた時刻とすることができる。この場合、代表カード管理ＤＢ２２０は、代表カードＩＤの代表カードがアクティベーションされた時刻を示すアクティベーション時刻の項目を有する。また、有効期間の開始時刻は、代表カードＩＤの代表カードを利用して対応する利用施設名の利用施設に入場した時刻、および、代表カードＩＤの代表カードがアクティベーションされた時刻の両方を用いてもよい。
【００５２】
図５の例では、レコード２２０−１は、識別子「１００１」の代表カードを利用して○○水族館に１２時３０分に入場したことを示し、有効期間が２０分であることを示す。例えば、記憶媒体管理装置１０１は、有効期間と代表者入場時刻とを加算することにより、有効期限を特定可能な情報として１２時５０分を生成することができる。
【００５３】
（電文６０１の一例）
図６は、実施の形態にかかる電文６０１の一例を示す説明図である。図６において、電文６０１は、アクティベーション依頼装置２０１および施設装置２０２によって作成、更新され、記憶媒体管理装置１０１に送信される。
【００５４】
電文６０１は、電文種別、カードＩＤおよび利用施設名の項目を有する。電文６０１は、各項目に情報を設定した後に、記憶媒体管理装置１０１に送信される。
【００５５】
ここで、電文種別は、電文を識別するための識別子を示す。例えば、電文種別の項目に「１」が設定された場合、電文種別は、対応する利用施設名の利用施設を利用可能にするためのアクティベーション依頼装置２０１からのアクティベーション要求であることを示す。また、電文種別の項目に「２」が設定された場合、電文種別は、対応する利用施設名の利用施設の施設装置２０２からの入場チェック要求であることを示す。また、カードＩＤは、カードを識別するための識別子を示す。利用施設名は、利用施設を識別するための識別子を示す。入場チェック要求とは、利用施設名の利用施設に対する入場可否の問合せ要求である。
【００５６】
図６の例では、電文６０１は、識別子「１００１」のカードで○○水族館を利用可能にするためアクティベーション依頼装置２０１からのアクティベーション要求であることを示す。
【００５７】
（記憶媒体管理装置１０１の機能的構成例）
次に、図２に示した記憶媒体管理装置１０１の機能的構成例について説明する。図７は、実施の形態にかかる記憶媒体管理装置１０１の機能的構成例を示すブロック図である。図７において記憶媒体管理装置１０１は、受信部７０１と、更新部７０２と、特定部７０３と、送信部７０４と、を含む構成である。受信部７０１と、更新部７０２と、特定部７０３と、送信部７０４と、を含む制御部は、具体的には、例えば、図３に示したメモリ３０２などの記憶装置に記憶されたプログラムをＣＰＵ３０１に実行させることにより、その機能を実現する。各機能部の処理結果は、例えば、図３に示したメモリ３０２などの記憶装置に記憶される。
【００５８】
受信部７０１は、アクティベーション依頼装置２０１および施設装置２０２から電文６０１を受信する機能を有する。受信部７０１は、受信した電文６０１がアクティベーション依頼装置２０１からのアクティベーション要求である場合、アクティベーション要求を更新部７０２に通知する。受信部７０１は、受信した電文６０１が施設装置２０２からの入場チェック要求である場合、入場チェック要求を送信部７０４に通知する。
【００５９】
ここで、受信部７０１は、受信した電文６０１に含まれる電文種別に基づいて、受信した電文６０１がアクティベーション要求であるか入場チェック要求であるかを判断する。例えば、受信部７０１は、電文種別が「１」である場合、アクティベーション要求であると判断する。また、例えば、受信部７０１は、電文種別が「２」である場合、入場チェック要求であると判断する。
【００６０】
更新部７０２は、受信部７０１から通知されたアクティベーション要求に基づいて、カードをアクティベーションする機能を有する。更新部７０２は、アクティベーション要求に含まれるカードＩＤと利用施設名に対応するカード管理ＤＢ２１０のアクティベーションフラグに「１」を設定する。
【００６１】
更新部７０２は、アクティベーション要求に含まれるカードＩＤが代表カードＩＤである場合、特定部７０３にカードＩＤを通知する。例えば、更新部７０２は、当該カードＩＤに対応するカード管理ＤＢ２１０の代表カードＩＤが、当該カードＩＤと一致する場合、当該カードＩＤは代表カードＩＤであると判断する。
【００６２】
また、更新部７０２は、代表カードＩＤと、代表カードＩＤのグループに含まれるカードＩＤを関連付けて記憶した情報に基づいて、アクティベーション要求に含まれるカードＩＤが代表カードＩＤであるか否かを判断することもできる。
【００６３】
更新部７０２は、関連付けられているカードＩＤを特定部７０３から通知される。更新部７０２は、通知されたカードＩＤと利用施設名に対応するカード管理ＤＢ２１０のアクティベーションフラグに「１」を設定する。
【００６４】
また、代表カード管理ＤＢ２２０が、アクティベーション時刻の項目を有する場合、更新部７０２は、代表カード管理ＤＢ２２０のアクティベーション時刻に現在時刻を設定する。例えば、更新部７０２は、アクティベーション要求に含まれるカードＩＤのカードがグルーピングされたカードであり、代表カードＩＤである場合、代表カード管理ＤＢ２２０の対応するアクティベーション時刻に現在時刻を設定する。
【００６５】
更新部７０２は、カード管理ＤＢ２１０の代表カードＩＤの項目を参照して、グルーピングされたカードであるか否かを判断できる。例えば、アクティベーション要求に含まれるカードＩＤと対応する代表カードＩＤの項目が設定されている場合、更新部７０２は、グルーピングされたカードであると判断できる。
【００６６】
また、更新部７０２は、カード管理ＤＢ２１０の代表カードＩＤの項目を参照して、代表カードＩＤであるか否かを判断できる。例えば、入場チェック要求に含まれるカードＩＤの項目と対応する代表カードＩＤの項目とが一致する場合、更新部７０２は、代表カードＩＤのカードであると判断できる。
【００６７】
特定部７０３は、更新部７０２から通知された代表カードＩＤと関連付けられているカードＩＤを特定する機能を有する。特定部７０３は、代表カードＩＤと関連付けられている特定したカードＩＤを更新部７０２に通知する。
【００６８】
例えば、特定部７０３は、カード管理ＤＢ２１０から１レコードを取得し、取得したレコードの代表カードＩＤが更新部７０２から通知されたカードＩＤと一致するか否かを判断する。一致すると判断した場合、特定部７０３は、当該レコードのカードＩＤは、代表カードＩＤと関連付けられているカードＩＤであると判断する。特定部７０３は、カード管理ＤＢ２１０のすべてのレコードに対して、取得したレコードの代表カードＩＤが更新部７０２から通知された代表カードＩＤと一致するか否かを判断する処理を行う。
【００６９】
ここで、特定部７０３は、代表カードＩＤと関連付けられているカードＩＤを一つ特定するごとに、更新部７０２に通知してもよい。また、特定部７０３は、代表カードＩＤと関連付けられているカードＩＤをすべて特定した後に、更新部７０２に通知してもよい。更新部７０２では既に記載したように、通知されたカードＩＤと利用施設名に対応するカード管理ＤＢ２１０のアクティベーションフラグに「１」を設定する。
【００７０】
また、特定部７０３は、代表カードＩＤと、代表カードＩＤのグループに含まれるカードＩＤを関連付けて記憶した情報に基づいて、更新部７０２から通知された代表カードＩＤのグループに含まれるカードＩＤを特定することもできる。
【００７１】
送信部７０４は、入場チェック要求に含まれるカードＩＤのカードで入場チェック要求に含まれる利用施設名の利用施設に入場可能か否かを判断し、判断結果を施設装置２０２に通信する機能を有する。
【００７２】
送信部７０４は、入場チェック要求に含まれるカードＩＤと利用施設名に対応するカード管理ＤＢ２１０のアクティベーションフラグに基づいて、利用施設名の利用施設に入場可能であるか否かを判断する。例えば、送信部７０４は、アクティベーションフラグが「１」である場合、利用施設名の利用施設に入場可能であると判断する。また、送信部７０４は、アクティベーションフラグが「０」である場合、利用施設名の利用施設に入場不可能であると判断する。
【００７３】
また、送信部７０４は、入場チェック要求に含まれるカードＩＤのカードがグルーピングされたカードであり、入場チェック要求に含まれるカードＩＤが代表カードＩＤである場合、代表カードＤＢ２２０の代表者入場時刻に現在時刻を設定することができる。
【００７４】
送信部７０４は、カード管理ＤＢ２１０の代表カードＩＤの項目を参照して、グルーピングされたカードであるか否かを判断できる。例えば、入場チェック要求に含まれるカードＩＤと対応する代表カードＩＤの項目が設定されている場合、送信部７０４は、グルーピングされたカードであると判断できる。
【００７５】
また、送信部７０４は、カード管理ＤＢ２１０の代表カードＩＤの項目を参照して、代表カードＩＤであるか否かを判断できる。例えば、入場チェック要求に含まれるカードＩＤの項目と対応する代表カードＩＤの項目とが一致する場合、送信部７０４は、代表カードＩＤのカードであると判断できる。
【００７６】
送信部７０４は、入場チェック要求に含まれるカードＩＤのカードがグルーピングされたカードである場合、カード管理ＤＢ２１０のアクティベーションフラグおよび利用フラグを更新する。この更新のため、送信部７０４は、代表カード管理ＤＢ２２０から代表カードＩＤの有効期間と代表者入場時刻を取得する。
【００７７】
送信部７０４は、例えば、入場チェック要求に含まれるカードＩＤが代表カードＩＤでない場合、代表カード管理ＤＢ２２０の対応する代表カードＩＤの有効期間と代表者入場時刻を取得する。
【００７８】
送信部７０４は、取得した代表者入場時刻から取得した有効期間を経過した時刻が現在時刻を過ぎているか否かを判断する。ここで、送信部７０４は、現在時刻を過ぎていないと判断した場合、入場チェック要求に含まれるカードＩＤと利用施設名に対応するアクティベーションフラグに「０」を設定する。これにより、送信部７０４は、入場チェック要求に含まれるカードＩＤのカードで、一度入場した後、再入場を許可しないことができる。さらに、送信部７０４は、入場チェック要求に含まれるカードＩＤのカードを複数回利用して、複数回入場するという不正を防止することができる。
【００７９】
また、送信部７０４は、入場チェック要求に含まれるカードＩＤのカードで、一度入場した後、再入場を許可する場合、アクティベーションフラグに「０」を設定しないこともできる。
【００８０】
また、送信部７０４は、入場チェック要求に含まれるカードＩＤと利用施設名に対応する利用フラグに「１」を設定する。これにより、送信部７０４は、入場チェック要求に含まれるカードＩＤのカードで利用施設名の施設に入場したことを記憶することができる。この後、送信部７０４は、施設装置２０２に、入場チェック要求に含まれるカードＩＤのカードで利用施設名の施設に入場可能であることを送信する。
【００８１】
送信部７０４は、現在時刻を過ぎていると判断した場合は、入場チェック要求に含まれるカードＩＤの代表カードＩＤと関連付けられているカードＩＤのアクティベーションフラグに「０」を設定する。これにより、関連付けられているカードＩＤのカードで入場チェック要求に含まれる利用施設名の施設に入場することができなくなる。このため、送信部７０４は、入場チェック要求に含まれるカードＩＤの代表カードＩＤと関連付けられているカードＩＤのカードで、当該施設に入場できる期間を制限することができる。
【００８２】
（記憶媒体活性化処理手順の一例）
図８は、実施の形態にかかる記憶媒体管理装置１０１の記憶媒体活性化処理手順の一例を示すフローチャートである。ここで、活性化とは、アクティベーションのことであり、カードを利用可能にすることである。図８において、記憶媒体管理装置１０１はアクティベーション依頼装置２０１からアクティベーション要求を受信したか否かを判断する（ステップＳ８０１）。
【００８３】
アクティベーション依頼装置２０１からアクティベーション要求を受信しない場合（ステップＳ８０１：Ｎｏ）、記憶媒体管理装置１０１の処理は、ステップＳ８０１に戻る。アクティベーション要求を受信した場合（ステップＳ８０１：Ｙｅｓ）、記憶媒体管理装置１０１は、アクティベーション要求に含まれるカードＩＤと利用施設名に対応するカード管理ＤＢ２１０のアクティベーションフラグに「１」を設定する（ステップＳ８０２）。
【００８４】
記憶媒体管理装置１０１は、アクティベーション要求に含まれるカードＩＤが代表カードＩＤであるか否かを、代表カード管理ＤＢ２２０を用いて判断する（ステップＳ８０３）。代表カードＩＤでない場合（ステップＳ８０３：Ｎｏ）、記憶媒体管理装置１０１の処理は、終了する。
【００８５】
代表カードＩＤである場合（ステップＳ８０３：Ｙｅｓ）、記憶媒体管理装置１０１は、カード管理ＤＢ２１０から未処理のレコードを取得する（ステップＳ８０４）。記憶媒体管理装置１０１は、取得したレコードの代表カードＩＤ及び利用施設名が、アクティベーション要求に含まれるカードＩＤ及びアクティベーション要求に含まれる利用施設名か否かを判断する（ステップＳ８０５）。代表カードＩＤが、アクティベーション要求に含まれるカードＩＤでないか利用施設名がアクティベーション要求に含まれる利用施設名でない場合（ステップＳ８０５：Ｎｏ）、記憶媒体管理装置１０１の処理は、ステップＳ８０７に移行する。
【００８６】
代表カードＩＤがアクティベーション要求に含まれるカードＩＤであり、利用施設名がアクティベーション要求に含まれる利用施設名である場合（ステップＳ８０５：Ｙｅｓ）、記憶媒体管理装置１０１は、当該レコードのアクティベーションフラグに「１」を設定する（ステップＳ８０６）。記憶媒体管理装置１０１は、カード管理ＤＢ２１０のすべてのレコードを処理したか否かを判断する（ステップＳ８０７）。
【００８７】
すべてのレコードを処理しない場合（ステップＳ８０７：Ｎｏ）、記憶媒体管理装置１０１の処理は、ステップＳ８０４に戻る。すべてのレコードを処理した場合（ステップＳ８０７：Ｙｅｓ）、記憶媒体管理装置１０１の処理は、終了する。
【００８８】
これにより、本フローチャートにおける一連の処理は終了する。本フローチャートを実行することで、アクティベーション要求があったカードが活性化され、カードの利用が可能になる。また、アクティベーション要求があったカードが代表カードである場合、代表カードのグループに属するカードも活性化され、該当利用施設のカードによる利用が可能になり、複数のカードをまとめて活性化することができる。
【００８９】
（入場可否判断処理手順の一例）
図９は、実施の形態にかかる記憶媒体管理装置１０１の入場可否判断処理手順の一例を示すフローチャートである。図９において、記憶媒体管理装置１０１は、施設装置２０２から入場チェック要求を受信したか否かを判断する（ステップＳ９０１）。
【００９０】
施設装置２０２から入場チェック要求を受信しない場合（ステップＳ９０１：Ｎｏ）、記憶媒体管理装置１０１の処理は、ステップＳ９０１に戻る。施設装置２０２から入場チェック要求を受信した場合（ステップＳ９０１：Ｙｅｓ）、記憶媒体管理装置１０１は、入場チェック要求に含まれるカードＩＤと利用施設名に対応するアクティベーションフラグが１か否かを判断する（ステップＳ９０２）。
【００９１】
アクティベーションフラグが「１」でない場合（ステップＳ９０２：Ｎｏ）、記憶媒体管理装置１０１は、施設装置２０２に入場不可能を送信して（ステップＳ９０８）、処理を終了する。アクティベーションフラグが「１」である場合（ステップＳ９０２：Ｙｅｓ）、記憶媒体管理装置１０１は、入場チェック要求に含まれるカードＩＤのカードがグルーピングされているか否かを判断する（ステップＳ９０３）。グルーピングされていない場合（ステップＳ９０３：Ｎｏ）、記憶媒体管理装置１０１は、施設装置２０２に入場可能を送信して（ステップＳ９０７）、処理を終了する。
【００９２】
グルーピングされている場合（ステップＳ９０３：Ｙｅｓ）、記憶媒体管理装置１０１は、入場チェック要求に含まれるカードＩＤが代表カードＩＤであるか否かを判断する（ステップＳ９０４）。代表カードＩＤでない場合（ステップＳ９０４：Ｎｏ）、記憶媒体管理装置１０１の処理は、ステップＳ９０６に移行する。
【００９３】
代表カードＩＤである場合（ステップＳ９０４：Ｙｅｓ）、記憶媒体管理装置１０１は、入場チェック要求に含まれるカードＩＤと利用施設名に対応する代表者入場時刻に現在時刻を設定する（ステップＳ９０５）。記憶媒体管理装置１０１は、有効期間判断処理を行う（ステップＳ９０６）。ここで、有効期間判断処理は、図１０において詳細に説明される。
【００９４】
これにより、本フローチャートにおける一連の処理は終了する。本フローチャートを実行することで、入場チェック要求があったカードに対する入場チェックが行われ、入場チェック要求のカードが代表カードである場合、代表者入場時刻が設定される。
【００９５】
（有効期間判断処理手順の一例）
図１０は、実施の形態にかかる記憶媒体管理装置１０１の有効期間判断処理手順の一例を示すフローチャートである。図１０において、記憶媒体管理装置１０１は、入場チェック要求に含まれるカードＩＤが代表カードＩＤであるか否かを、代表カード管理ＤＢ２２０を用いて判断する（ステップＳ１００１）。入場チェック要求に含まれるカードＩＤが代表カードＩＤである場合（ステップＳ１００１：Ｙｅｓ）、記憶媒体管理装置１０１の処理は、ステップＳ１００３に移行する。
【００９６】
入場チェック要求に含まれるカードＩＤが代表カードＩＤでない場合（ステップＳ１００１：Ｎｏ）、記憶媒体管理装置１０１は、入場チェック要求に含まれるカードＩＤに対応する代表カードＩＤをカード管理ＤＢ２１０から取得する（ステップＳ１００２）。記憶媒体管理装置１０１は、代表カード管理ＤＢ２２０から代表カードＩＤの有効期間と代表者入場時刻を取得する（ステップＳ１００３）。
【００９７】
記憶媒体管理装置１０１は、代表者入場時刻から有効期間を経過した時刻が現在時刻を過ぎているか否かを判断する（ステップＳ１００４）。現在時刻を過ぎていない場合（ステップＳ１００４：Ｎｏ）、記憶媒体管理装置１０１は、入場チェック要求に含まれるカードＩＤと利用施設名に対応するアクティベーションフラグに「０」を設定する。具体的には「１」を「０」にする（ステップＳ１００５）。また、記憶媒体管理装置１０１は、入場チェック要求に含まれるカードＩＤと利用施設名に対応する利用フラグに「１」を設定する（ステップＳ１００６）。この後、記憶媒体管理装置１０１は、施設装置２０２に入場可能を送信し（ステップＳ１００７）、処理を終了する。
【００９８】
現在時刻を過ぎている場合（ステップＳ１００４：Ｙｅｓ）、記憶媒体管理装置１０１は、カード管理ＤＢ２１０から、同じ代表者カードＩＤを持つレコードで、かつ、入場チェック要求に含まれる利用施設名を持ち、アクティベーションフラグが「１」のレコードを取得する（ステップＳ１００８）。
【００９９】
記憶媒体管理装置１０１は、当該レコードのアクティベーションフラグに「０」を設定する（ステップＳ１００９）。記憶媒体管理装置１０１は、施設装置２０２に入場不可能を送信し（ステップＳ１０１０）、処理を終了する。
【０１００】
これにより、本フローチャートにおける一連の処理は終了する。本フローチャートを実行することで、入場チェック要求があったカードおよび入場チェック要求のカードが属するグループのカードに対する有効期間のチェックが行われる。
【０１０１】
以上説明したように、記憶媒体管理装置１０１は、携帯可能な第一の記憶媒体１１１の識別子と対応付けて記憶されている所定の情報を更新する依頼を受信する。これに応じて、記憶媒体管理装置１０１は、記憶媒体の識別子と所定の情報とを対応付けて記憶した第一の記憶部１２１を参照して、受信した依頼から特定される第一の記憶媒体１１１の識別子と対応付けて記憶されている所定の情報を更新する。記憶媒体管理装置１０１は、複数の記憶媒体の識別子を互いに関連付けて記憶した第二の記憶部１２２を参照して、第一の記憶媒体１１１の識別子と関連付けられている第二の記憶媒体１１２、１１３の識別子を特定する。記憶媒体管理装置１０１は、特定した第二の記憶媒体１１２、１１３の識別子と対応付けて記憶されている所定の情報を更新する。
【０１０２】
これにより、第一の記憶媒体１１１に記憶される情報が更新されると第二の記憶媒体１１２、１１３に記憶される情報も更新される。このため、記憶媒体管理装置１０１は、関連する複数の記憶媒体の状態を、まとめて同じ状態にして管理することができる。
【０１０３】
また、所定の情報は、所定の施設への入場可否を示す情報であり、記憶媒体管理装置１０１は、所定の施設への入場可否を示す情報を、入場を許可することを示す情報に更新することができる。記憶媒体管理装置１０１は、所定の施設の入場口に設けられた装置から、記憶媒体の識別子と入場可否の問合せとを受信する。これに応じて、記憶媒体管理装置１０１は、受信した記憶媒体の識別子と対応付けて記憶されている所定の情報が、所定の施設への入場を許可することを示す情報である場合に、入場を許可することを示す情報を装置へ送信することができる。
【０１０４】
これにより、記憶媒体管理装置１０１は、第一の記憶媒体１１１の所定の施設への入場可否を示す情報を、入場を許可することを示す情報に更新する。同時に、記憶媒体管理装置１０１は、第二の記憶媒体１１２、１１３の所定の施設への入場可否を示す情報を、入場を許可することを示す情報に更新する。このため、第一の記憶媒体１１１を利用して、所定の施設に入場することが可能になると、第二の記憶媒体１１２、１１３を利用して、所定の施設に入場することも可能になる。例えば、記憶媒体管理装置１０１は、旅行ツアーで、ツアーガイドが、旅行ツアーの参加者に対して入場券を配布する手間を無くすことができる。また、ツアーガイドは、施設の入場口で入場管理を行わなくてもよくなる。さらに、ツアーガイドの代表カードが利用可能になるまで、参加者のカードは利用できないため、参加者がカードを事前に紛失しても、盗難されても問題は生じない。
【０１０５】
また、記憶媒体管理装置１０１は、所定の施設への入場可否を示す情報を、入場を許可することを示す情報に更新するとともに、有効期限を特定可能な情報を生成して第一の記憶媒体１１１の識別子と対応付けて記憶することができる。記憶媒体管理装置１０１は、第二の記憶媒体１１２、１１３の識別子と入場可否の問合せとを受信した際、有効期限を特定可能な情報から求められる時刻が、現在時刻を過ぎていない場合に、入場を許可することを示す情報を送信することができる。
【０１０６】
これにより、記憶媒体管理装置１０１は、第一の記憶媒体１１１を利用して所定の施設へ入場可能にした後、第二の記憶媒体１１２、１１３を利用して所定の施設へ入場できる期間を制限することができる。例えば、記憶媒体管理装置１０１は、旅行ツアーで、ツアーガイドが、施設に入場後、所定の時間内に入場する旅行ツアーの参加者に対して入場を許可できる。ひいては、参加者の都合により集合して入場することができない場合でも、個別に入場を管理できる。具体的には、記憶媒体管理装置１０１は、誰かがトイレに行っていたら全員が待つというような、全員が同時に入場しなければならないような事態を無くすことができる。
【０１０７】
また、記憶媒体管理装置１０１は、第一の記憶媒体１１１の識別子と入場可否の問合せとを受信した際、入場を許可することを示す情報を装置へ送信し、有効期限を特定可能な情報を生成して第一の記憶媒体１１１の識別子と対応付けて記憶することができる。記憶媒体管理装置１０１は、第二の記憶媒体１１２、１１３の識別子と入場可否の問合せとを受信した際、有効期限を特定可能な情報から求められる時刻が、現在時刻を過ぎていない場合に、入場を許可することを示す情報を送信することができる。
【０１０８】
これにより、記憶媒体管理装置１０１は、第一の記憶媒体１１１を利用して、所定の施設へ入場した後、第二の記憶媒体１１２、１１３を利用して所定の施設へ入場できる期間を制限することができる。
【０１０９】
また、所定の情報は、複数の施設の識別子と、複数の施設の識別子に含まれる施設の識別子に対応する施設への入場可否を示す情報である。記憶媒体管理装置１０１は、複数の施設の識別子のうちの所定の施設の識別子と対応する施設への入場可否を示す情報を、入場を許可することを示す情報に更新することができる。記憶媒体管理装置１０１は、所定の施設の入場口に設けられた装置から、所定の施設の識別子と記憶媒体の識別子と入場可否の問合せとを受信する。これに応じて、記憶媒体管理装置１０１は、受信した記憶媒体の識別子と対応付けて記憶されている所定の情報のうちの所定の施設の識別子と対応する施設への入場可否を示す情報が、入場を許可することを示す情報である場合に、入場を許可することができる。この場合、記憶媒体管理装置１０１は、入場を許可することを示す情報を送信することができる。
【０１１０】
これにより、記憶媒体管理装置１０１は、１つの記憶媒体で複数の施設の入場を許可することができる。例えば、記憶媒体管理装置１０１は、旅行ツアーにおいて、複数の施設に入場する際に、１つの記憶媒体を複数の入場券とすることができる。このため、ツアーガイドおよび旅行ツアーの参加者は、複数の入場券を管理しなくてもよい。
【０１１１】
なお、本実施の形態で説明した記憶媒体管理方法は、予め用意されたプログラムをパーソナル・コンピュータやワークステーション等のコンピュータで実行することにより実現することができる。記憶媒体管理プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、記憶媒体管理プログラムは、インターネット等のネットワークを介して配布してもよい。
【０１１２】
上述した実施の形態に関し、さらに以下の付記を開示する。
【０１１３】
（付記１）携帯可能な第一の記憶媒体の識別子と対応付けて記憶されている所定の情報を更新する依頼を受信し、
記憶媒体の識別子と前記所定の情報とを対応付けて記憶した第一の記憶部を参照して、受信した前記依頼から特定される前記第一の記憶媒体の識別子と対応付けて記憶されている前記所定の情報を更新し、
複数の記憶媒体の識別子を互いに関連付けて記憶した第二の記憶部を参照して、前記第一の記憶媒体の識別子と関連付けられている第二の記憶媒体の識別子を特定し、
特定した前記第二の記憶媒体の識別子と対応付けて記憶されている前記所定の情報を更新する、
処理をコンピュータに実行させることを特徴とする記憶媒体管理プログラム。
【０１１４】
（付記２）前記所定の情報は、所定の施設への入場可否を示す情報であり、
前記所定の情報を更新する処理は、前記所定の施設への入場可否を示す情報を、入場を許可することを示す情報に更新する処理であり、
前記コンピュータに、
前記所定の施設の入場口に設けられた装置から、記憶媒体の識別子と入場可否の問合せとを受信し、
受信した前記記憶媒体の識別子と対応付けて記憶されている前記所定の情報が、前記所定の施設への入場を許可することを示す情報である場合に、入場を許可することを示す情報を前記装置へ送信する、
処理を実行させることを特徴とする付記１に記載の記憶媒体管理プログラム。
【０１１５】
（付記３）前記所定の情報を更新する処理は、前記第一の記憶媒体の識別子と対応付けて記憶されている前記所定の施設への入場可否を示す情報を、入場を許可することを示す情報に更新するとともに、有効期限を特定可能な情報を生成して前記第一の記憶媒体の識別子と対応付けて第三の記憶部に記憶し、
前記コンピュータに、
前記所定の施設の入場口に設けられた装置から、前記第二の記憶媒体の識別子と入場可否の問合せとを受信し、
受信した前記第二の記憶媒体の識別子と対応付けて記憶されている前記所定の情報が、前記所定の施設への入場を許可することを示す情報であり、かつ、該第二の記憶媒体の識別子と関連付けられている前記第一の記憶媒体の識別子と対応付けて記憶されている前記有効期限を特定可能な情報から求められる時刻が、現在時刻を過ぎていない場合に、入場を許可することを示す情報を前記装置へ送信する、
処理を実行させることを特徴とする付記２に記載の記憶媒体管理プログラム。
【０１１６】
（付記４）前記コンピュータに、
前記所定の施設の入場口に設けられた装置から、前記第一の記憶媒体の識別子と入場可否の問合せとを受信し、
受信した前記第一の記憶媒体の識別子と対応付けて記憶されている前記所定の情報が、前記所定の施設への入場を許可することを示す情報である場合に、入場を許可することを示す情報を前記装置へ送信するとともに、有効期限を特定可能な情報を生成して前記第一の記憶媒体の識別子と対応付けて第三の記憶部に記憶し、
前記所定の施設の入場口に設けられた装置から、前記第二の記憶媒体の識別子と入場可否の問合せとを受信し、
受信した前記第二の記憶媒体の識別子と対応付けて記憶されている前記所定の情報が、前記所定の施設への入場を許可することを示す情報であり、かつ、該第二の記憶媒体の識別子と関連付けられている前記第一の記憶媒体の識別子と対応付けて記憶されている前記有効期限を特定可能な情報から求められる時刻が、現在時刻を過ぎていない場合に、入場を許可することを示す情報を前記装置へ送信する、
処理を実行させることを特徴とする付記２に記載の記憶媒体管理プログラム。
【０１１７】
（付記５）前記所定の情報は、複数の施設の識別子と、前記複数の施設の識別子に含まれる施設の識別子に対応する施設への入場可否を示す情報とを記憶する情報であり、
前記依頼を受信する処理は、前記複数の施設の識別子に含まれる所定の施設の識別子と対応する施設への入場可否を示す情報を更新する依頼を受信する処理であり、
前記所定の情報を更新する処理は、前記所定の施設の識別子と対応する施設への入場可否を示す情報を、入場を許可することを示す情報に更新する処理であり、
前記コンピュータに、
前記所定の施設の入場口に設けられた装置から、前記所定の施設の識別子と記憶媒体の識別子と入場可否の問合せとを受信し、
受信した前記記憶媒体の識別子と対応付けて記憶されている前記所定の情報のうちの前記所定の施設の識別子と対応する施設への入場可否を示す情報が、前記所定の施設の識別子と対応する施設への入場を許可することを示す情報である場合に、入場を許可することを示す情報を前記装置へ送信する、
処理を実行させることを特徴とする付記１に記載の記憶媒体管理プログラム。
【０１１８】
（付記６）携帯可能な第一の記憶媒体の識別子と対応付けて記憶されている所定の情報を更新する依頼を受信し、
記憶媒体の識別子と前記所定の情報とを対応付けて記憶した第一の記憶部を参照して、受信した前記依頼から特定される前記第一の記憶媒体の識別子と対応付けて記憶されている前記所定の情報を更新し、
複数の記憶媒体の識別子を互いに関連付けて記憶した第二の記憶部を参照して、前記第一の記憶媒体の識別子と関連付けられている第二の記憶媒体の識別子を特定し、
特定した前記第二の記憶媒体の識別子と対応付けて記憶されている前記所定の情報を更新する、
処理をコンピュータに実行させる記憶媒体管理プログラムを記録したことを特徴とする前記コンピュータに読み取り可能な記録媒体。
【０１１９】
（付記７）携帯可能な第一の記憶媒体の識別子と対応付けて記憶されている所定の情報を更新する依頼を受信し、
記憶媒体の識別子と前記所定の情報とを対応付けて記憶した第一の記憶部を参照して、受信した前記依頼から特定される前記第一の記憶媒体の識別子と対応付けて記憶されている前記所定の情報を更新し、
複数の記憶媒体の識別子を互いに関連付けて記憶した第二の記憶部を参照して、前記第一の記憶媒体の識別子と関連付けられている第二の記憶媒体の識別子を特定し、
特定した前記第二の記憶媒体の識別子と対応付けて記憶されている前記所定の情報を更新する、
処理をコンピュータが実行することを特徴とする記憶媒体管理方法。
【０１２０】
（付記８）携帯可能な第一の記憶媒体の識別子と対応付けて記憶されている所定の情報を更新する依頼を受信し、
記憶媒体の識別子と前記所定の情報とを対応付けて記憶した第一の記憶部を参照して、受信した前記依頼から特定される前記第一の記憶媒体の識別子と対応付けて記憶されている前記所定の情報を更新し、
複数の記憶媒体の識別子を互いに関連付けて記憶した第二の記憶部を参照して、前記第一の記憶媒体の識別子と関連付けられている第二の記憶媒体の識別子を特定し、
特定した前記第二の記憶媒体の識別子と対応付けて記憶されている前記所定の情報を更新する、
制御部を有することを特徴とする記憶媒体管理装置。
【符号の説明】
【０１２１】
１０１  記憶媒体管理装置
２０１  アクティベーション依頼装置
２０２  施設装置
７０１  受信部
７０２  更新部
７０３  特定部
７０４  送信部
【図１】
0006435797.tif 000002
【図２】
0006435797.tif 000003
【図３】
0006435797.tif 000004
【図４】
0006435797.tif 000005
【図５】
0006435797.tif 000006
【図６】
0006435797.tif 000007
【図７】
0006435797.tif 000008
【図８】
0006435797.tif 000009
【図９】
0006435797.tif 000010
【図１０】
0006435797.tif 000011